(57)【要約】【課題】  携帯機器の入力装置として使用されるタッチパネル４は、振動素子９によりタッチパネル４に振動を加えることにより、ユーザが操作を認識するように構成している。そのため、タッチペンで操作している場合、ユーザに振動が伝達されにくく、操作感が得られない問題点があった。【解決手段】  ユーザは、一般に携帯機器を把持して操作する。ユーザがタッチパネル４を操作すると制御部２２が駆動回路２７を動作させ、フロントケース１に取り付けられた振動素子９を駆動してフロントケース１及びリアケース２を振動させる。これにより、ユーザはタッチパネル９の操作を認識する。【選択図】          図３
2008181365.tif 000002
【特許請求の範囲】
【請求項１】
筐体に形成された表示窓に取り付けられ、押圧された位置の座標情報を送出する透明部材からなるタッチパネル、このタッチパネルに対向して設けられ、該タッチパネルを介して上記表示窓側から目視可能に画像を表示する表示装置、上記筐体に取り付けられた振動素子、上記タッチパネルから送出される座標情報を入力して上記振動素子を振動動作させる制御部を備えたことを特徴とする携帯機器。
【請求項２】
筐体に形成された表示窓に取り付けられ、押圧された位置の座標情報を送出する透明部材からなるタッチパネル、このタッチパネルに対向して設けられ、該タッチパネルを介して上記表示窓側から目視可能に画像を表示する表示装置、上記筐体に取り付けられた振動素子、アンテナを介してデータを送受信する無線部を制御し、通信相手との無線通信を可能にする制御部を備え、該制御部は、上記タッチパネルから送出される座標情報を入力して上記振動素子を振動動作させるとともに、上記通信相手からの無線通信の着信時に上記振動素子を振動動作させることを特徴とする携帯機器。
【請求項３】
振動素子はタッチパネル近傍に取り付けられていることを特徴とする請求項１又は２に記載の携帯機器。
【請求項４】
制御部はタッチパネルから座標信号を入力したときは振動素子を第１のレベルで振動させ、無線通信を着信したときは上記振動素子を第１のレベルより大きい第２のレベルで振動させることを特徴とする請求項２に記載の携帯機器。
【請求項５】
タッチパネルは筐体を把持した状態で押圧操作されることを特徴とする請求項１又は２に記載の携帯機器。
【請求項６】
振動素子の発振周波数が筐体の該振動素子の取り付け箇所における共振周波数に設定されていることを特徴とする請求項１又は２に記載の携帯機器。
【請求項７】
振動素子の発振周波数が該振動素子の共振周波数であることを特徴とする請求項６に記載の携帯機器。
【発明の詳細な説明】
【技術分野】
【０００１】
本発明は、タッチパネルを入力装置として用いた携帯電話機等の携帯機器に関するものである。
【背景技術】
【０００２】
タッチパネルは、従来から広く使用されてきたキー入力装置に替わる入力装置として注目されており、既に多くの適用例がある。一般に、透明性を有するタッチパネルは画像を表示するＬＣＤ等の表示装置上に密着して配置され、ユーザはタッチパネルを通して表示装置に表示された画像を見ながらタッチパネル上を押圧操作するように構成されている。また、タッチパネルはユーザが指或いはタッチペンで操作するが、キー入力装置のように操作時にクリック感がなく、操作の感触が得られにくいものである。そのため、操作したことをユーザが認識できるように、操作に合せて操作音を出力するものがあるが、周囲の状況で音を出力することが好ましくない場合がある。一方、周囲の状況を気にせずに操作を認識できるようにしたものとして、特許文献１に記載されたものがある。
【０００３】
特許文献１に記載されたタッチパネルによる入力装置は、タッチパネルの操作に合せてタッチパネルを振動させ、ユーザに操作を認識させるようにしたものであり、この種の構成例を図６に示している。
【０００４】
図６は筐体に収容されたタッチパネルを示した断面図であり、１はフロントケース、２はリアケースであり、これらフロントケース１及びリアケース２はねじ等で一体に連結されて筐体を構成する。フロントケース１には表示窓３が形成されており、該表示窓３に表面側を向けて透明材料からなるタッチパネル４が取り付けられる。５はフロントケース１の内面とタッチパネル表面との間に設けたクッション材、６はタッチパネルと対向して配置されたＬＣＤ等の表示装置で、この表示装置６とタッチパネル４との間にもクッション材７が設けられている。８はリアケース２にねじ（図示せず）で固定されたフレーム、９はタッチパネル４の一端側に貼り付けられたフォースリアクタ等の振動素子である。
【０００５】
即ち、振動素子９はタッチパネル４を延在させた一端に設けられており、ユーザがタッチパネル４を押圧操作すると電圧が印加され振動する。この振動はタッチパネル４に伝達され、さらに押圧操作したユーザの指或いはタッチペンに伝達されるためユーザに振動が感じられ、操作を認識する。
【０００６】
【特許文献１】特開２００６−１３９３７１号公報
【発明の開示】
【発明が解決しようとする課題】
【０００７】
従来の携帯機器は、振動素子９によりタッチパネル４に振動を加えることにより、ユーザがタッチパネル４の操作を認識するように構成していた。そのため、タッチペンで操作している場合、ユーザに振動が伝達されにくく、操作感が得られない問題点があった。また、タッチパネルのサイズ変更や保持構造等の影響を受け、安定した性能が出せない問題点があった。
【０００８】
本発明は、上記のような問題点に鑑みてなされたものであり、タッチパネルの操作をユーザが確実に認識できるようにした携帯機器を得ることを目的としている。
【課題を解決するための手段】
【０００９】
本発明に係る携帯機器は、筐体に形成された表示窓に取り付けられ、押圧された位置の座標情報を送出する透明部材からなるタッチパネル、このタッチパネルに対向して設けられ、該タッチパネルを介して上記表示窓側から目視可能に画像を表示する表示装置、上記筐体に取り付けられた振動素子、上記タッチパネルから送出される座標情報を入力して上記振動素子を振動動作させる制御部から構成したものである。
【発明の効果】
【００１０】
本発明によれば、振動素子を筐体に取り付けるものとし、タッチパネルの押圧操作より、振動素子の振動をユーザが把持する筐体に伝達するものとしているので、タッチパネルの操作をユーザが確実に認識できる効果がある。
【発明を実施するための最良の形態】
【００１１】
以下、本発明の実施の形態を詳述する。図１は本発明を適用した携帯電話機の斜視図であり、下側筐体１１と上側筐体１２はヒンジ部１３で回動自在に連結されている。下側筐体１１の表面ケースには略中央に表示窓３が形成されており、その内側にタッチパネル４が装着されている。また、下側筐体１１の反ヒンジ部１３側端部には所定の機能がそれぞれ割り付けられた３つの機能キー１５と送話音を集音するマイク１６とが設けられている。
【００１２】
一方、上側筐体１２の表面ケースには略中央に表示窓が形成されており、その内側に画像を表示するメイン表示装置１７が装着されている。また、上側筐体１２の反ヒンジ部１３側端部には受信した音声信号を音声出力するスピーカ１８と小型のカメラ１９とが設けられている。
【００１３】
ユーザが携帯電話機を使用する場合、機能キー１５を操作して所望のアプリケーションを起動するか、タッチパネル４をタッチ操作してアプリケーションを起動したり、各種の機能を実行させたりする。メイン表示装置１７にはタッチパネル４及び機能キー１５の操作に応じた画像が表示され、ユーザはメイン表示装置１７の表示を確認しながら携帯電話機を操作する。
【００１４】
また、図２は本発明に係る携帯電話機の機能ブロック図であり、４はタッチパネル、６は表示装置、９は下側筐体１１に取り付けられた振動素子である。また、２０はアンテナ２１を介して通信相手と信号の送受信を行う無線部であり、該無線部２０で受信した高周波の信号は制御部２２で処理しやすい中間周波数に変換されて制御部２２に供給される。制御部２２はＲＯＭ２３に格納されたプログラムにしたがって各種の機能を実現するものであり、無線部２０から入力する通信相手の音声信号を復号化してスピーカ２４から音声出力させ、マイク２５から入力した音声信号を符号化して無線部２０及びアンテナを介して通信相手に送信する。２６は制御部２２がデータの書き込み、読み出しを行うＲＡＭ、２７は振動素子９を駆動する駆動回路である。
【００１５】
まず、図２を参照して本発明の実施の形態に係る携帯機器の電気的動作を説明する。即ち、制御部２２は表示部６にテンキーやアプリケーション起動ボタン等の画像を表示させる。ユーザはタッチパネル４を通して表示装置６の画像を見ながら通信相手の電話番号の入力や所定のアプリケーションを起動するための入力をタッチパネル４の所定位置を押圧操作して行う。押圧したタッチパネル４上の座標情報は該タッチパネル４から制御部２２へ入力され、制御部２２は表示装置６に表示している画像情報とタッチパネル４から入力した座標情報により、何れの操作が行われたかを判断して処理を実行する。
【００１６】
一方、制御部２２はタッチパネル４から座標情報が入力されるとユーザの入力操作があったものと判断して駆動回路２７を動作させ、振動素子９を駆動させる。振動素子９は下側筐体１１に取り付けられているので、ユーザが把持している下側筐体１１が振動し、ユーザにタッチパネル４が操作されたことを認識させる。
【００１７】
ここで、一般に携帯電話機は通信相手から着信があった場合、ユーザに着信を報知する。着信を報知する手段としてはスピーカ２４から着信音を出力するのが一般であるが、映画館や図書館ではマナーモードにして携帯電話機を振動させ、音を出さないモードで着信を報知する。したがって、マナーモード用に振動素子が必要であるが、このマナーモード用の振動素子としてタッチパネル４の押圧認識用の振動素子９を共用することが考えられる。
【００１８】
図２において、タッチパネル４の押圧操作で振動素子９を駆動する動作は上述のとおりである。制御部２２は無線部２０を介して受信した信号が当該携帯電話機の着信と判断した場合、駆動回路２７を動作させ、振動素子９を駆動させる。これにより、振動素子９はタッチパネル４の押圧認識用とマナーモード時の着信報知用とに共用することができる。しかし、タッチパネル４の押圧認識用としてはユーザが下側筐体１１を把持しており、振動素子９をそれほど大きく振動させる必要がないが、携帯電話機を鞄の中に入れているときに着信したような場合を想定すると着信報知用としては振動素子９を大きく振動させる必要がある。したがって、制御部２２は駆動回路２７を駆動する電圧を調整し、タッチパネル４の押圧認識時には振動素子９を小さい第１のレベルで振動させ、着信時には振動素子９を第１のレベルより大きい第２のレベルで振動させる。このように構成することで、別個に振動素子を設ける必要がなく、携帯機器のコストを低減することができる。
【００１９】
次に、図３を参照して本発明の実施の形態に係る携帯機器の構造について詳述する。図３は筐体内へタッチパネル４を収容した本発明の携帯機器を示す断面図であり、１はフロントケース、２はリアケースであり、これらフロントケース１及びリアケース２はねじ等で一体に連結されて携帯電話機の下側筐体１１を構成する。フロントケース１には表示窓３が形成されており、該表示窓３に表面側を向けて透明材料からなるタッチパネル４が取り付けられる。５はフロントケース１の内面とタッチパネル表面との間に設けたクッション材、６はタッチパネルと対向して配置されたＬＣＤ等の表示装置で、この表示装置６とタッチパネル４との間にもクッション材料７が設けられている。また、表示装置に表示された画像は透明部材のタッチパネル４を介して表示窓３側から目視することができる。８はリアケース２にねじ（図示せず）で固定されたフレーム、９はフロントケース１内面のタッチパネル４近傍に貼り付けられたフォースリアクタ等の振動素子である。
【００２０】
即ち、タッチパネル４を押圧すると制御部２２が駆動回路２７を動作させて振動素子９を駆動する。振動素子９はフロントケース１内面に貼り付けられており、フロントケース１及び該フロントケース１と一体に連結されているリアケース２に振動を付与する。一般に携帯機器はユーザに把持されて操作されるため、ユーザの把持した手に振動が伝達されてタッチパネル４への押圧操作を認識する。タッチパネル４はユーザの指或いはタッチペンで操作されるが、フロントケース１及びリアケース２が振動するので、何れの場合でも安定して確実に押圧操作を認識できる。また、図３の実施の形態では振動素子９がタッチパネル４の近傍に取り付けられているので、クッション材５を介してタッチパネル４にも振動が伝達され、押圧操作の認識さらに確実にする。
【００２１】
さらに、振動素子９の発振周波数をフロントケース１の振動素子９が貼り付けられた箇所の共振周波数に設定することにより、小さな駆動力で大きな振動を伝達することができる。また、振動素子９を振動素子９自体の共振周波数で発振させ、フロントケース１の振動素子９が貼り付けられた箇所の共振周波数を振動素子の共振周波数に設定すれば、さらに効率よく振動を伝達することができる。具体的には、フロントケース１の振動素子９が貼り付けられた箇所の厚みを調整することにより、その箇所の共振周波数を調整し、設定するようにすればよい。
【００２２】
図４は下側筐体１１を構成する一部の部品の展開図である。図４において、１はフロントケース、４はタッチパネル、６は表示装置、９は振動素子である。振動素子９はフロントケース１の内面に貼り付けて取り付けられる。
【００２３】
なお、図３に示した実施の形態ではフロントケース１の内面に振動素子９を取り付けるものとしたが、フロントケース１とリアケース２は一体に連結されるので、図５に示すように振動素子９をリアケース２側に取り付けるものとしても良い。
【産業上の利用可能性】
【００２４】
本発明は、携帯電話機等入力装置としてタッチパネルを適用した携帯機器に適用することができる。
【図面の簡単な説明】
【００２５】
【図１】本発明を適用した携帯電話機を示した斜視図である。
【図２】本発明の実施の形態に係る携帯電話機を示した機能ブロック図である。
【図３】本発明の実施の形態に係る携帯機器の構成を示した断面図である。
【図４】本発明の実施の形態に係る携帯機器を展開して示した展開図である。
【図５】本発明の実施の形態に係る携帯機器の構成を示した断面図である。
【図６】従来の携帯機器の構成を示した断面図である。
【符号の説明】
【００２６】
１  フロントケース    ２  リアケース    ３  表示窓    ４  タッチパネル    ６  表示装置    ９  振動素子    ２０  無線部    ２１  アンテナ    ２２  制御部    ２７  駆動回路
【図１】
2008181365.tif 000003
【図２】
2008181365.tif 000004
【図３】
2008181365.tif 000005
【図４】
2008181365.tif 000006
【図５】
2008181365.tif 000007
【図６】
2008181365.tif 000008